(57)【要約】  受動素子アレイ（１０）は、複数の基材層（１２）を積層してなる素体（１１）と、素体（１１）内にて、基材層（１２）の積層方向（Ｚ）から見た場合にそれぞれ異なる位置に設けられた受動素子（Ｌ１、Ｌ２、Ｌ３）と、素体（１１）の一方主面（１１ａ）に設けられ、受動素子（Ｌ１、Ｌ２、Ｌ３）のそれぞれの一端に接続された入出力端子（Ｐ１、Ｐ３、Ｐ５）と、素体（１１）の他方主面（１１ｂ）に設けられ、受動素子（Ｌ１、Ｌ２、Ｌ３）のそれぞれの他端に接続された入出力端子（Ｐ２、Ｐ４、Ｐ６）と、一方主面（１１ａ）において、入出力端子（Ｐ１）と入出力端子（Ｐ５）との間に設けられたグランド端子（ＰＧ３）と、他方主面（１１ｂ）において、入出力端子（Ｐ２）と入出力端子（Ｐ６）との間に設けられたグランド端子（ＰＧ４）とを備える。
2017179590.tif 000002
【特許請求の範囲】
【請求項１】
プリント配線板に内蔵される受動素子アレイであって、
複数の基材層を積層してなる素体と、
前記素体内にて、前記基材層の積層方向から見た場合にそれぞれ異なる位置に設けられた第１受動素子、第２受動素子および第３受動素子と、
前記素体の一方主面に設けられ、前記第１受動素子の一端に接続された第１入出力端子、前記第２受動素子の一端に接続された第３入出力端子、および、前記第３受動素子の一端に接続された第５入出力端子と、
前記素体の他方主面に設けられ、前記第１受動素子の他端に接続された第２入出力端子、前記第２受動素子の他端に接続された第４入出力端子、および、前記第３受動素子の他端に接続された第６入出力端子と、
前記一方主面において、前記第１入出力端子と前記第５入出力端子との間、前記第１入出力端子と前記第３入出力端子との間、および、前記第３入出力端子と前記第５入出力端子との間の少なくとも１つに設けられた一方主面側のグランド端子と、
前記他方主面において、前記第２入出力端子と前記第６入出力端子との間、前記第２入出力端子と前記第４入出力端子との間、および、前記第４入出力端子と前記第６入出力端子との間の少なくとも１つに設けられた他方主面側のグランド端子と
を備える受動素子アレイ。
【請求項２】
前記第１受動素子、前記第２受動素子および前記第３受動素子は、前記積層方向から見た場合に、前記積層方向と垂直な方向に順に配列され、
前記一方主面側のグランド端子は、前記第１入出力端子と前記第５入出力端子との間に設けられ、
前記他方主面側のグランド端子は、前記第２入出力端子と前記第６入出力端子との間に設けられている
請求項１に記載の受動素子アレイ。
【請求項３】
前記素体を前記積層方向から見た場合に、
前記第１入出力端子および前記第２入出力端子は、前記第１受動素子と重なる位置に設けられ、
前記第３入出力端子および前記第４入出力端子は、前記第２受動素子と重なる位置に設けられ、
前記第５入出力端子および前記第６入出力端子は、前記第３受動素子と重なる位置に設けられている
請求項１または２に記載の受動素子アレイ。
【請求項４】
前記素体を前記積層方向から見た場合に、
前記一方主面側のグランド端子および前記他方主面側のグランド端子の少なくとも一方は、前記第２受動素子と重なる位置に設けられている
請求項１〜３のいずれか１項に記載の受動素子アレイ。
【請求項５】
前記一方主面側のグランド端子および前記他方主面側のグランド端子は、それぞれ第３のグランド端子および第４のグランド端子であり、
さらに、
前記一方主面にそれぞれ設けられた第１のグランド端子および第５のグランド端子と、
前記他方主面にそれぞれ設けられた第２のグランド端子および第６のグランド端子と
を備え、
前記積層方向から見た場合に、
前記第１のグランド端子および第２のグランド端子の少なくとも一方は、前記第１受動素子と重なる位置に設けられ、
前記第５のグランド端子および第６のグランド端子の少なくとも一方は、前記第３受動素子と重なる位置に設けられている
請求項４に記載の受動素子アレイ。
【請求項６】
前記第１入出力端子、前記第３入出力端子、前記第５入出力端子、前記第１のグランド端子、前記第３のグランド端子および前記第５のグランド端子は、前記一方主面に行列状に配置され、かつ、前記第１入出力端子、前記第３入出力端子および前記第５入出力端子と、前記第１のグランド端子、前記第３のグランド端子および前記第５のグランド端子とは、前記積層方向から見た場合に、前記第１受動素子、前記第２受動素子および前記第３受動素子が配列された配列方向に沿って、順に互い違いに配置され、
前記第２入出力端子、前記第４入出力端子、前記第６入出力端子、前記第２のグランド端子、前記第４のグランド端子および前記第６のグランド端子は、前記他方主面に行列状に配置され、かつ、前記第２入出力端子、前記第４入出力端子および前記第６入出力端子と、前記第２のグランド端子、前記第４のグランド端子および前記第６のグランド端子とは、前記積層方向から見た場合に、前記配列方向に沿って、順に互い違いに配置されている
請求項５に記載の受動素子アレイ。
【請求項７】
さらに、
前記素体内に、前記第２のグランド端子に対向する第１対向電極、前記第３のグランド端子に対向する第２対向電極、および、前記第６のグランド端子に対向する第３対向電極を備え、
前記第１対向電極は、前記第１受動素子の一端または他端に接続され、
前記第２対向電極は、前記第２受動素子の一端または他端に接続され、
前記第３対向電極は、前記第３受動素子の一端または他端に接続されている
請求項５または６に記載の受動素子アレイ。
【請求項８】
前記第１受動素子、前記第２受動素子および前記第３受動素子の少なくとも１つの受動素子は、他の受動素子に対して前記積層方向の異なる位置に設けられている
請求項１〜７のいずれか１項に記載の受動素子アレイ。
【請求項９】
前記第１受動素子および第３受動素子は、前記他方主面よりも前記一方主面に近い位置に設けられ、前記第２受動素子は、前記一方主面よりも前記他方主面に近い位置に設けられている
請求項１〜８のいずれか１項に記載の受動素子アレイ。
【請求項１０】
前記第１受動素子、前記第２受動素子および前記第３受動素子のそれぞれは、インダクタである
請求項１〜９のいずれか１項に記載の受動素子アレイ。
【請求項１１】
プリント配線板に実装される受動素子アレイであって、
複数の基材層を積層してなる素体と、
前記素体内にて、前記基材層の積層方向から見た場合にそれぞれ異なる位置に設けられた第１受動素子、第２受動素子および第３受動素子と、
前記素体の一方主面に設けられ、前記第１受動素子の一端に接続された第１入出力端子、前記第２受動素子の一端に接続された第３入出力端子、および、前記第３受動素子の一端に接続された第５入出力端子と、
前記素体の他方主面に設けられ、前記第１受動素子の他端に接続された第２入出力端子、前記第２受動素子の他端に接続された第４入出力端子、および、前記第３受動素子の他端に接続された第６入出力端子と、
前記一方主面において、前記第１入出力端子と前記第５入出力端子との間、前記第１入出力端子と前記第３入出力端子との間、および、前記第３入出力端子と前記第５入出力端子との間の少なくとも１つに設けられた一方主面側のグランド端子と、
前記他方主面において、前記第２入出力端子と前記第６入出力端子との間、前記第２入出力端子と前記第４入出力端子との間、および、前記第４入出力端子と前記第６入出力端子との間の少なくとも１つに設けられた他方主面側のグランド端子と、を備え、
前記一方主面側の端子はフレキシブル配線板またはフレキシブルケーブルに接続され、前記他方主面側の端子は前記プリント配線板に接続される、
受動素子アレイ。
【請求項１２】
複数の基材層を積層してなる素体と、
前記素体内にて、前記基材層の積層方向から見た場合にそれぞれ異なる位置に設けられた第１受動素子、第２受動素子および第３受動素子と、
前記素体の一方主面に設けられ、前記第１受動素子の一端に接続された第１入出力端子、前記第２受動素子の一端に接続された第３入出力端子、および、前記第３受動素子の一端に接続された第５入出力端子と、
前記素体の他方主面に設けられ、前記第１受動素子の他端に接続された第２入出力端子、前記第２受動素子の他端に接続された第４入出力端子、および、前記第３受動素子の他端に接続された第６入出力端子と、
前記一方主面において、前記第１入出力端子と前記第５入出力端子との間、前記第１入出力端子と前記第３入出力端子との間、および、前記第３入出力端子と前記第５入出力端子との間の少なくとも１つに設けられた一方主面側のグランド端子と、
前記他方主面において、前記第２入出力端子と前記第６入出力端子との間、前記第２入出力端子と前記第４入出力端子との間、および、前記第４入出力端子と前記第６入出力端子との間の少なくとも１つに設けられた他方主面側のグランド端子と
を備える受動素子アレイを内蔵したプリント配線板。
【請求項１３】
複数の基材層を積層してなる素体と、
前記素体内にて、前記基材層の積層方向から見た場合にそれぞれ異なる位置に設けられた第１受動素子、第２受動素子および第３受動素子と、
前記素体の一方主面に設けられ、前記第１受動素子の一端に接続された第１入出力端子、前記第２受動素子の一端に接続された第３入出力端子、および、前記第３受動素子の一端に接続された第５入出力端子と、
前記素体の他方主面に設けられ、前記第１受動素子の他端に接続された第２入出力端子、前記第２受動素子の他端に接続された第４入出力端子、および、前記第３受動素子の他端に接続された第６入出力端子と、
前記一方主面において、前記第１入出力端子と前記第５入出力端子との間、前記第１入出力端子と前記第３入出力端子との間、および、前記第３入出力端子と前記第５入出力端子との間の少なくとも１つに設けられた一方主面側のグランド端子と、
前記他方主面において、前記第２入出力端子と前記第６入出力端子との間、前記第２入出力端子と前記第４入出力端子との間、および、前記第４入出力端子と前記第６入出力端子との間の少なくとも１つに設けられた他方主面側のグランド端子と、を備え、
前記一方主面側の端子がフレキシブル配線板またはフレキシブルケーブルに接続され、前記他方主面側の端子がプリント配線板に接続される、
受動素子アレイを実装したプリント配線板。
【発明の詳細な説明】
【技術分野】
【０００１】
本発明は、複数の受動素子を含む受動素子アレイ、および、この受動素子アレイを内蔵するプリント配線板に関する。
【背景技術】
【０００２】
従来、複数の基材層を積層してなる素体内に、複数の受動素子が設けられたチップ型の受動素子アレイが知られている。【０００３】
その種の受動素子アレイの一例として、特許文献１には、３つのコイル素子（受動素子）と、３つのコイル素子のそれぞれに対応する３組の入出力端子とを備えた受動素子アレイが開示されている。特許文献１に記載された受動素子アレイでは、各コイル素子の巻回軸（コイル軸）を異ならせることによって、各コイル素子間のアイソレーションを確保している。【０００４】
また、特許文献２には、４つのコイル素子と、４つのコイル素子のそれぞれに対応する４組の入出力端子とを備えた受動素子アレイが開示されている。特許文献２に記載された受動素子アレイでは、隣り合うコイル素子の間に磁束遮蔽層を設けることで、各コイル素子間のアイソレーションを確保している。
【先行技術文献】
【特許文献】
【０００５】
【特許文献１】特開平８−２５０３３３号公報
【特許文献２】特開平１１−２２４８１７号公報
【発明の概要】
【発明が解決しようとする課題】
【０００６】
しかしながら、特許文献１および特許文献２に記載された受動素子アレイでは、各コイル素子間のアイソレーションを確保することはできるが、隣り合うコイル素子の入出力端子間のアイソレーションを確保することが困難である。【０００７】
本発明は、上記問題を解決するためになされたものであり、各受動素子間の入出力端子間のアイソレーションを確保することができる受動素子アレイ等を提供することを目的とする。
【課題を解決するための手段】
【０００８】
上記目的を達成するために、本発明の一態様に係る受動素子アレイは、プリント配線板に内蔵される受動素子アレイであって、複数の基材層を積層してなる素体と、前記素体内にて、前記基材層の積層方向から見た場合にそれぞれ異なる位置に設けられた第１受動素子、第２受動素子および第３受動素子と、前記素体の一方主面に設けられ、前記第１受動素子の一端に接続された第１入出力端子、前記第２受動素子の一端に接続された第３入出力端子、および、前記第３受動素子の一端に接続された第５入出力端子と、前記素体の他方主面に設けられ、前記第１受動素子の他端に接続された第２入出力端子、前記第２受動素子の他端に接続された第４入出力端子、および、前記第３受動素子の他端に接続された第６入出力端子と、前記一方主面において、前記第１入出力端子と前記第５入出力端子との間、前記第１入出力端子と前記第３入出力端子との間、および、前記第３入出力端子と前記第５入出力端子との間の少なくとも１つに設けられた一方主面側のグランド端子と、前記他方主面において、前記第２入出力端子と前記第６入出力端子との間、前記第２入出力端子と前記第４入出力端子との間、および、前記第４入出力端子と前記第６入出力端子との間の少なくとも１つに設けられた他方主面側のグランド端子とを備える。【０００９】
これによれば、第１入出力端子、第３入出力端子および第５入出力端子のそれぞれの間の少なくとも１つにグランド端子が設けられるので、素体の一方主面において、各受動素子間の少なくとも１つの入出力端子間のアイソレーションを確保することができる。また、第２入出力端子、第４入出力端子および第６入出力端子のそれぞれの間の少なくとも１つにグランド端子が設けられるので、素体の他方主面において、各受動素子間の少なくとも１つの入出力端子間のアイソレーションを確保することができる。【００１０】
また、前記第１受動素子、前記第２受動素子および前記第３受動素子は、前記積層方向から見た場合に、前記積層方向と垂直な方向に順に配列され、前記一方主面側のグランド端子は、前記第１入出力端子と前記第５入出力端子との間に設けられ、前記他方主面側のグランド端子は、前記第２入出力端子と前記第６入出力端子との間に設けられていてもよい。【００１１】
これによれば、第１入出力端子と第５入出力端子との間にグランド端子が設けられるので、第１入出力端子と第５入出力端子とのアイソレーションを確保することができる。また、第２入出力端子と第６入出力端子との間にグランド端子が設けられるので、第２入出力端子と第６入出力端子とのアイソレーションを確保することができる。【００１２】
また、前記素体を前記積層方向から見た場合に、前記第１入出力端子および前記第２入出力端子は、前記第１受動素子と重なる位置に設けられ、前記第３入出力端子および前記第４入出力端子は、前記第２受動素子と重なる位置に設けられ、前記第５入出力端子および前記第６入出力端子は、前記第３受動素子と重なる位置に設けられていてもよい。【００１３】
これによれば、受動素子アレイの小型化を図るとともに、各受動素子間の入出力端子間のアイソレーションを確保することができる。【００１４】
また、前記素体を前記積層方向から見た場合に、前記一方主面側のグランド端子および前記他方主面側のグランド端子の少なくとも一方は、前記第２受動素子と重なる位置に設けられていてもよい。【００１５】
これによれば、受動素子アレイの小型化を図るとともに、各受動素子間の入出力端子間のアイソレーションを確保することができる。【００１６】
また、前記一方主面側のグランド端子および前記他方主面側のグランド端子は、それぞれ第３のグランド端子および第４のグランド端子であり、さらに、前記一方主面にそれぞれ設けられた第１のグランド端子および第５のグランド端子と、前記他方主面にそれぞれ設けられた第２のグランド端子および第６のグランド端子とを備え、前記積層方向から見た場合に、前記第１のグランド端子および第２のグランド端子の少なくとも一方は、前記第１受動素子と重なる位置に設けられ、前記第５のグランド端子および第６のグランド端子の少なくとも一方は、前記第３受動素子と重なる位置に設けられていてもよい。【００１７】
これによれば、第３入出力端子の両側にグランド端子が設けられた構造となるので、例えば、受動素子アレイをプリント配線板に内蔵した場合に、第３入出力端子への入出力信号が他の信号と干渉することを抑制できる。また、第４入出力端子の両側にグランド端子が設けられた構造となるので、例えば、受動素子アレイをプリント配線板に内蔵した場合に、第４入出力端子への入出力信号が他の信号と干渉することを抑制できる。【００１８】
また、第１のグランド端子と第５のグランド端子とが素体の一方主面に設けられ、また、第２のグランド端子と第６のグランド端子とが素体の他方主面に設けられるので、一方主面および他方主面に形成される端子の偏在分布が低減され、素体の製造過程で生じる素体のそりや歪みを抑制することが可能となる。【００１９】
また、前記第１入出力端子、前記第３入出力端子、前記第５入出力端子、前記第１のグランド端子、前記第３のグランド端子および前記第５のグランド端子は、前記一方主面に行列状に配置され、かつ、前記第１入出力端子、前記第３入出力端子および前記第５入出力端子と、前記第１のグランド端子、前記第３のグランド端子および前記第５のグランド端子とは、前記積層方向から見た場合に、前記第１受動素子、前記第２受動素子および前記第３受動素子が配列された配列方向に沿って、順に互い違いに配置され、前記第２入出力端子、前記第４入出力端子、前記第６入出力端子、前記第２のグランド端子、前記第４のグランド端子および前記第６のグランド端子は、前記他方主面に行列状に配置され、かつ、前記第２入出力端子、前記第４入出力端子および前記第６入出力端子と、前記第２のグランド端子、前記第４のグランド端子および前記第６のグランド端子とは、前記積層方向から見た場合に、前記配列方向に沿って、順に互い違いに配置されていてもよい。【００２０】
この構成によれば、受動素子アレイの高集積化を図るとともに、第１入出力端子と第５入出力端子とのアイソレーションを確保し、また、第２入出力端子と第６入出力端子とのアイソレーションを確保することができる。【００２１】
また、さらに、前記素体内に、前記第２のグランド端子に対向する第１対向電極、前記第３のグランド端子に対向する第２対向電極、および、前記第６のグランド端子に対向する第３対向電極を備え、前記第１対向電極は、前記第１受動素子の一端または他端に接続され、前記第２対向電極は、前記第２受動素子の一端または他端に接続され、前記第３対向電極は、前記第３受動素子の一端または他端に接続されていてもよい。【００２２】
これによれば、第２のグランド端子および第１対向電極、第３のグランド端子および第２対向電極、並びに、第６のグランド端子および第３対向電極で、３つのコンデンサが形成される。また、第１受動素子、第２受動素子および第３受動素子のそれぞれがインダクタであるので、３つのＬＣフィルタを有する受動素子アレイを提供することができる。【００２３】
また、前記第１受動素子、前記第２受動素子および前記第３受動素子の少なくとも１つの受動素子は、他の受動素子に対して前記積層方向の異なる位置に設けられていてもよい。【００２４】
これによれば、第１受動素子、第２受動素子および第３受動素子間の少なくとも１つの受動素子間のアイソレーションを確保することができる。【００２５】
また、前記第１受動素子および第３受動素子は、前記他方主面よりも前記一方主面に近い位置に設けられ、前記第２受動素子は、前記一方主面よりも前記他方主面に近い位置に設けられていてもよい。【００２６】
これによれば、第１受動素子と第２受動素子とのアイソレーション、および、第２受動素子と第３受動素子とのアイソレーションを確保することができる。【００２７】
また、前記第１受動素子、前記第２受動素子および前記第３受動素子のそれぞれは、インダクタであってもよい。【００２８】
これによれば、インダクタである第１受動素子、第２受動素子および第３受動素子の入出力端子間のアイソレーションを確保することができる。これにより、それぞれのインダクタの電気的特性を安定化させることができる。【００２９】
また、本発明の一態様に係る受動素子アレイは、プリント配線板に実装される受動素子アレイであって、複数の基材層を積層してなる素体と、前記素体内にて、前記基材層の積層方向から見た場合にそれぞれ異なる位置に設けられた第１受動素子、第２受動素子および第３受動素子と、前記素体の一方主面に設けられ、前記第１受動素子の一端に接続された第１入出力端子、前記第２受動素子の一端に接続された第３入出力端子、および、前記第３受動素子の一端に接続された第５入出力端子と、前記素体の他方主面に設けられ、前記第１受動素子の他端に接続された第２入出力端子、前記第２受動素子の他端に接続された第４入出力端子、および、前記第３受動素子の他端に接続された第６入出力端子と、前記一方主面において、前記第１入出力端子と前記第５入出力端子との間、前記第１入出力端子と前記第３入出力端子との間、および、前記第３入出力端子と前記第５入出力端子との間の少なくとも１つに設けられた一方主面側のグランド端子と、前記他方主面において、前記第２入出力端子と前記第６入出力端子との間、前記第２入出力端子と前記第４入出力端子との間、および、前記第４入出力端子と前記第６入出力端子との間の少なくとも１つに設けられた他方主面側のグランド端子と、を備え、前記一方主面側の端子はフレキシブル配線板またはフレキシブルケーブルに接続され、前記他方主面側の端子は前記プリント配線板に接続される。【００３０】
これによれば、受動素子アレイの一方主面側に少なくとも１つのグランド端子が設けられるので、フレキシブル配線板またはフレキシブルケーブルのうちの一方主面側に接続される領域のアイソレーションを確保することができる。また、他方主面側に少なくとも１つのグランド端子が設けられるので、プリント配線板のうちの他方主面側に接続される領域のアイソレーションを確保することができる。【００３１】
また、本発明の一態様に係るプリント配線板は、複数の基材層を積層してなる素体と、前記素体内にて、前記基材層の積層方向から見た場合にそれぞれ異なる位置に設けられた第１受動素子、第２受動素子および第３受動素子と、前記素体の一方主面に設けられ、前記第１受動素子の一端に接続された第１入出力端子、前記第２受動素子の一端に接続された第３入出力端子、および、前記第３受動素子の一端に接続された第５入出力端子と、前記素体の他方主面に設けられ、前記第１受動素子の他端に接続された第２入出力端子、前記第２受動素子の他端に接続された第４入出力端子、および、前記第３受動素子の他端に接続された第６入出力端子と、前記一方主面において、前記第１入出力端子と前記第５入出力端子との間、前記第１入出力端子と前記第３入出力端子との間、および、前記第３入出力端子と前記第５入出力端子との間の少なくとも１つに設けられた一方主面側のグランド端子と、前記他方主面において、前記第２入出力端子と前記第６入出力端子との間、前記第２入出力端子と前記第４入出力端子との間、および、前記第４入出力端子と前記第６入出力端子との間の少なくとも１つに設けられた他方主面側のグランド端子とを備える受動素子アレイを内蔵している。【００３２】
これによれば、入出力端子間のアイソレーションが確保された受動素子アレイを内蔵したプリント配線板を提供することが可能になる。【００３３】
また、本発明の一態様に係るプリント配線板は、複数の基材層を積層してなる素体と、前記素体内にて、前記基材層の積層方向から見た場合にそれぞれ異なる位置に設けられた第１受動素子、第２受動素子および第３受動素子と、前記素体の一方主面に設けられ、前記第１受動素子の一端に接続された第１入出力端子、前記第２受動素子の一端に接続された第３入出力端子、および、前記第３受動素子の一端に接続された第５入出力端子と、前記素体の他方主面に設けられ、前記第１受動素子の他端に接続された第２入出力端子、前記第２受動素子の他端に接続された第４入出力端子、および、前記第３受動素子の他端に接続された第６入出力端子と、前記一方主面において、前記第１入出力端子と前記第５入出力端子との間、前記第１入出力端子と前記第３入出力端子との間、および、前記第３入出力端子と前記第５入出力端子との間の少なくとも１つに設けられた一方主面側のグランド端子と、前記他方主面において、前記第２入出力端子と前記第６入出力端子との間、前記第２入出力端子と前記第４入出力端子との間、および、前記第４入出力端子と前記第６入出力端子との間の少なくとも１つに設けられた他方主面側のグランド端子と、を備え、前記一方主面側の端子がフレキシブル配線板またはフレキシブルケーブルに接続され、前記他方主面側の端子がプリント配線板に接続される、受動素子アレイを実装している。【００３４】
このプリント配線板によれば、受動素子アレイの一方主面側に少なくとも１つのグランド端子が設けられるので、フレキシブル配線板またはフレキシブルケーブルのうちの一方主面側に接続される領域のアイソレーションを確保することができる。また、他方主面側に少なくとも１つのグランド端子が設けられるので、プリント配線板のうちの他方主面側に接続される領域のアイソレーションを確保することができる
【発明の効果】
【００３５】
本発明によれば、各受動素子間の入出力端子間のアイソレーションを確保することができる受動素子アレイ等を提供できる。
【図面の簡単な説明】
【００３６】
【図１】図１は、実施の形態１に係る受動素子アレイの模式図である。
【図２Ａ】図２Ａは、実施の形態１に係る受動素子アレイをＹ方向から見た場合の断面の模式図である。
【図２Ｂ】図２Ｂは、実施の形態１に係る受動素子アレイを積層方向から見た場合の図である。
【図３】図３は、実施の形態１に係る受動素子アレイの等価回路を示す図である。
【図４】図４は、実施の形態１に係る受動素子アレイを内蔵したプリント配線板の斜視図である。
【図５】図５は、実施の形態１に係るプリント配線板を図４に示すＶ−Ｖ線で切断した場合の模式図である。
【図６Ａ】図６Ａは、実施の形態１に係るプリント配線板に内蔵された受動素子アレイの一方主面の接続形態を示す図である。
【図６Ｂ】図６Ｂは、実施の形態１に係るプリント配線板に内蔵された受動素子アレイの他方主面の接続形態を示す図である。
【図７】図７は、実施の形態２に係る受動素子アレイの模式図である。
【図８Ａ】図８Ａは、実施の形態２に係る受動素子アレイをＹ方向から見た場合の断面の模式図である。
【図８Ｂ】図８Ｂは、実施の形態２に係る受動素子アレイを積層方向から見た場合の図である。
【図９】図９は、実施の形態２に係るプリント配線板をＹ方向から見た場合の断面の模式図である。
【図１０Ａ】図１０Ａは、実施の形態２に係るプリント配線板に内蔵された受動素子アレイの一方主面の接続形態を示す図である。
【図１０Ｂ】図１０Ｂは、実施の形態２に係るプリント配線板に内蔵された受動素子アレイの他方主面の接続形態を示す図である。
【図１１】図１１は、実施の形態３に係る受動素子アレイの模式図である。
【図１２】図１２は、実施の形態３に係る受動素子アレイをＹ方向から見た場合の断面の模式図である。
【図１３】図１３は、実施の形態３に係る受動素子アレイの等価回路を示す図である。
【図１４】図１４は、実施の形態４に係る受動素子アレイの模式図である。
【図１５Ａ】図１５Ａは、実施の形態４に係る受動素子アレイをＹ方向から見た場合の断面の模式図である。
【図１５Ｂ】図１５Ｂは、実施の形態４に係る受動素子アレイを積層方向から見た場合の図である。
【図１６Ａ】図１６Ａは、実施の形態１の受動素子アレイを実装したプリント配線板を示す斜視図である。
【図１６Ｂ】図１６Ｂは、実施の形態１の受動素子アレイを実装したプリント配線板の他の例を示す斜視図である。
【発明を実施するための形態】
【００３７】
以下、図面を参照しながら、本発明の実施の形態に係る受動素子アレイおよびプリント配線板について説明する。なお、以下で説明する実施の形態は、いずれも本発明の好ましい一具体例を示すものである。以下の実施の形態で示される数値、形状、材料、構成要素、構成要素の配置位置及び接続形態、製造工程、及び、製造工程の順序などは、一例であり、本発明を限定する主旨ではない。また、以下の実施の形態における構成要素のうち、最上位概念を示す独立請求項に記載されていない構成要素については、任意の構成要素として説明される。また、図面に示される構成要素の大きさまたは大きさの比は、必ずしも厳密ではない。また、各図において、実質的に同一の構成に対しては同一の符号を付しており、重複する説明は省略または簡略化する。また、以下の実施の形態において、「接続される」とは、直接接続される場合だけでなく、他の素子等を介して電気的に接続される場合も含まれる。
【００３８】
（実施の形態１）
本実施の形態に係る受動素子アレイは、プリント配線板に内蔵されるチップ型の受動素子アレイである。受動素子アレイを構成する受動素子としては、例えば、インダクタ、コンデンサ、抵抗などが挙げられる。本実施の形態では、受動素子として、インダクタを例に挙げて説明する。
【００３９】
図１は、実施の形態１に係る受動素子アレイ１０の模式図である。図２Ａは、受動素子アレイ１０をＹ方向から見た場合の断面の模式図である。図２Ｂは、受動素子アレイ１０を積層方向から見た場合の図である。図３は、受動素子アレイ１０の等価回路を示す図である。
【００４０】
［１．受動素子アレイの概略構成］
まず、本実施の形態に係る受動素子アレイ１０の概略構成を説明する。
【００４１】
受動素子アレイ１０は、図１、図２Ａおよび図２Ｂに示されるように、複数の基材層１２を積層してなる素体１１と、素体１１内に設けられた第１受動素子Ｌ１、第２受動素子Ｌ２および第３受動素子Ｌ３を備えている。なお、図２Ａおよび図２Ｂでは、受動素子Ｌ１、Ｌ２、Ｌ３のそれぞれに含まれる層間導体（ビア導体）、および、引き出し導体の図示を省略している。
【００４２】
また、受動素子アレイ１０は、第１受動素子Ｌ１に接続された第１入出力端子Ｐ１および第２入出力端子Ｐ２と、第２受動素子Ｌ２に接続された第３入出力端子Ｐ３および第４入出力端子Ｐ４と、第３受動素子Ｌ３に接続された第５入出力端子Ｐ５および第６入出力端子Ｐ６とを備えている。
【００４３】
また、受動素子アレイ１０は、第１受動素子Ｌ１に対応する第１のグランド端子ＰＧ１および第２のグランド端子ＰＧ２と、第２受動素子Ｌ２に対応する第３のグランド端子ＰＧ３および第４のグランド端子ＰＧ４と、第３受動素子Ｌ３に対応する第５のグランド端子ＰＧ５および第６のグランド端子ＰＧ６とを備えている。
【００４４】
受動素子アレイ１０は、図３に示されるように、３つのコイル素子により構成されている。具体的には、受動素子アレイ１０は、受動素子Ｌ１、入出力端子Ｐ１、Ｐ２、およびグランド端子ＰＧ１、ＰＧ２を一組とする１番目の受動素子ユニットと、受動素子Ｌ２、入出力端子Ｐ３、Ｐ４、およびグランド端子ＰＧ３、ＰＧ４を一組とする２番目の受動素子ユニットと、受動素子Ｌ３、入出力端子Ｐ５、Ｐ６、およびグランド端子ＰＧ５、ＰＧ６を一組とする３番目の受動素子ユニットとが順次配列された構成となっている。
【００４５】
以降において、複数の基材層１２が積層されている方向を積層方向Ｚ、積層方向Ｚに垂直な方向であって第１受動素子Ｌ１と第２受動素子Ｌ２とが並んで配列されている方向をＸ方向（配列方向）、積層方向ＺおよびＸ方向の両方に垂直な方向をＹ方向と呼ぶ。また、それぞれの方向において、矢印の方向を正方向、矢印と反対の方向を負方向と呼ぶ。
【００４６】
素体１１は、直方体状であり、積層方向Ｚの軸に垂直な一方主面１１ａと、一方主面１１ａの反対に位置する他方主面１１ｂとを有している。
【００４７】
素体１１の一方主面１１ａには、それぞれ同じ四角形状をした第１入出力端子Ｐ１、第３入出力端子Ｐ３、第５入出力端子Ｐ５、第１のグランド端子ＰＧ１、第３のグランド端子ＰＧ３および第５のグランド端子ＰＧ５が、行列状に設けられている。素体１１の他方主面１１ｂには、それぞれ同じ四角形状をした第２入出力端子Ｐ２、第４入出力端子Ｐ４、第６入出力端子Ｐ６、第２のグランド端子ＰＧ２、第４のグランド端子ＰＧ４および第６のグランド端子ＰＧ６が、行列状に設けられている。
【００４８】
一方主面１１ａ上の複数の入出力端子Ｐ１、Ｐ３、Ｐ５は、Ｘ方向に沿ってジグザグ状に配置されている。また、一方主面１１ａ上の複数のグランド端子ＰＧ１、ＰＧ３、ＰＧ５は、Ｘ方向に沿って、複数の入出力端子Ｐ１、Ｐ３、Ｐ５とは逆にジグザグ状に配置されている。すなわち、複数の入出力端子Ｐ１、Ｐ３、Ｐ５と複数のグランド端子ＰＧ１、ＰＧ３、ＰＧ５とは、積層方向から見た場合、Ｘ方向に沿って順に互い違いに配置されている。
【００４９】
他方主面１１ｂ上の複数の入出力端子Ｐ２、Ｐ４、Ｐ６は、Ｘ方向に沿ってジグザグ状に配置されている。また、他方主面１１ｂ上の複数のグランド端子ＰＧ２、ＰＧ４、ＰＧ６は、Ｘ方向に沿って、複数の入出力端子Ｐ２、Ｐ４、Ｐ６とは逆にジグザグ状に配置されている。すなわち、複数の入出力端子Ｐ２、Ｐ４、Ｐ６と、複数のグランド端子ＰＧ２、ＰＧ４、ＰＧ６とは、積層方向から見た場合、Ｘ方向に沿って順に互い違いに配置されている。
【００５０】
上記構成を有する受動素子アレイ１０では、素体１１の一方主面１１ａにおいて、第１入出力端子Ｐ１と第５入出力端子Ｐ５との間に、第３のグランド端子ＰＧ３が設けられる。このように、第１入出力端子Ｐ１と第５入出力端子Ｐ５との間にグランド端子ＰＧ３を設けることで、第１入出力端子Ｐ１と第５入出力端子Ｐ５とのアイソレーションを確保することができる。
【００５１】
また、受動素子アレイ１０では、素体１１の他方主面１１ｂにおいて、第２入出力端子Ｐ２と第６入出力端子Ｐ６との間に、第４のグランド端子ＰＧ４が設けられる。このように、第２入出力端子Ｐ２と第６入出力端子Ｐ６との間にグランド端子ＰＧ４を設けることで、第２入出力端子Ｐ２と第６入出力端子Ｐ６とのアイソレーションを確保することができる。
【００５２】
なお、素体１１は、例えば、磁性フェライトセラミックスなどの磁性体である。つまり、各基材層１２は磁性体層である。具体的には、素体１１の材料としては、酸化鉄を主成分とし、亜鉛、ニッケル及び銅のうち少なくとも１つ以上を含むフェライトが用いられる。また、素体１１の材料としては、プリント配線板を構成する基板材料と電気的特性（透磁率、誘電率など）が異なるものが用いられる。
【００５３】
また、受動素子Ｌ１〜Ｌ３、入出力端子Ｐ１〜Ｐ６、グランド端子ＰＧ１〜ＰＧ６の材料としては、例えば、銀を主成分とする金属または合金が用いられる。また、入出力端子Ｐ１〜Ｐ６、グランド端子ＰＧ１〜ＰＧ６は、これらの材料に、例えば、ニッケル、パラジウム、または金によるめっきが施されていてもよい。
【００５４】
［２．受動素子アレイの詳細］
次に、受動素子アレイ１０の詳細について、各受動素子ユニットが並ぶ順に説明する。
【００５５】
第１受動素子Ｌ１は、Ｚ方向に巻回軸を有し、巻回軸方向から見たときの外形が矩形状のコイル素子であり、複数の基材層１２に形成されたそれぞれのコイルパターンを層間導体で繋ぐことで形成されたヘリカル型コイル素子である。コイル素子である第１受動素子Ｌ１は、Ｘ方向に短辺、Ｙ方向に長辺を有し、そのコイル軸は積層方向Ｚの軸と平行である。また、第１受動素子Ｌ１は、素体１１の他方主面１１ｂよりも一方主面１１ａに近い位置に設けられている。
【００５６】
第１入出力端子Ｐ１は、素体１１の一方主面１１ａの面内のみに設けられた平面電極端子（つまり、ＬＧＡ（Land Grid Array）型電極端子）である。第２入出力端子Ｐ２は、素体１１の他方主面１１ｂの面内のみに設けられた平面電極端子である。第１入出力端子Ｐ１は第１受動素子Ｌ１の一端に接続され、第２入出力端子Ｐ２は第１受動素子Ｌ１の他端に接続されている。
【００５７】
第１入出力端子Ｐ１および第２入出力端子Ｐ２は、積層方向Ｚに互いに対向して配置されている。図２Ｂに示されるように、第１入出力端子Ｐ１、第２入出力端子Ｐ２のそれぞれは、積層方向Ｚから見た場合に、第１受動素子Ｌ１と重なる位置に設けられている。
【００５８】
第１のグランド端子ＰＧ１は、素体１１の一方主面１１ａ側の面内のみに設けられた平面電極端子である。第１のグランド端子ＰＧ１は、第１入出力端子Ｐ１に対して、Ｙ正方向に間隔をあけて配置されている。第２のグランド端子ＰＧ２は、素体１１の他方主面１１ｂ側の面内のみに設けられた平面電極端子である。第２のグランド端子ＰＧ２は、第２入出力端子Ｐ２に対して、Ｙ正方向に間隔をあけて配置されている。
【００５９】
第１のグランド端子ＰＧ１および第２のグランド端子ＰＧ２は、積層方向Ｚに互いに対向して配置されている。図２Ｂに示されるように、第１のグランド端子ＰＧ１および第２のグランド端子ＰＧ２のそれぞれは、積層方向Ｚから見た場合に、第１受動素子Ｌ１と重なる位置に設けられている。
【００６０】
第２受動素子Ｌ２は、第１受動素子Ｌ１に対して、積層方向Ｚから見た場合に異なる位置に設けられている。具体的には、第１受動素子Ｌ１および第２受動素子Ｌ２は、Ｘ方向に隣り合うように配列されている。
【００６１】
第２受動素子Ｌ２は、Ｚ方向に巻回軸を有し、巻回軸方向から見たときの外形が矩形状のコイル素子であり、複数の基材層１２に形成されたそれぞれのコイルパターンを層間導体で繋ぐことで形成されたヘリカル型コイル素子である。コイル素子である第２受動素子Ｌ２は、Ｘ方向に短辺、Ｙ方向に長辺を有し、そのコイル軸は積層方向Ｚの軸と平行である。すなわち、第１受動素子Ｌ１および第２受動素子Ｌ２のそれぞれのコイル軸は互いに平行である。なお、図１では、第２受動素子Ｌ２のコイル巻き方向は、第１受動素子Ｌ１のコイル巻き方向と同じである。
【００６２】
また、第２受動素子Ｌ２は、素体１１の一方主面１１ａよりも他方主面１１ｂに近い位置であって、第１受動素子Ｌ１に対して、積層方向Ｚに所定距離ずれて配置されている。具体的には、第１受動素子Ｌ１および第２受動素子Ｌ２は、積層方向Ｚの異なる位置に設けられ（異なる基材層１２に設けられ）、Ｘ方向から見た場合に、互いに重ならないように設けられている。
【００６３】
第３入出力端子Ｐ３は、素体１１の一方主面１１ａの面内のみに設けられた平面電極端子である。第３入出力端子Ｐ３は、第１入出力端子Ｐ１に対して、Ｘ正方向とＹ正方向との間の方角に間隔をあけて配置されている。第４入出力端子Ｐ４は、素体１１の他方主面１１ｂの面内のみに設けられた平面電極端子である。第４入出力端子Ｐ４は、第２入出力端子Ｐ２に対して、Ｘ正方向とＹ正方向との間の方角に間隔をあけて配置されている。第３入出力端子Ｐ３は第２受動素子Ｌ２の一端に接続され、第４入出力端子Ｐ４は第２受動素子Ｌ２の他端に接続されている。
【００６４】
第３入出力端子Ｐ３および第４入出力端子Ｐ４は、積層方向Ｚに互いに対向して配置されている。図２Ｂに示されるように、第３入出力端子Ｐ３、第４入出力端子Ｐ４のそれぞれは、積層方向Ｚから見た場合に、第２受動素子Ｌ２と重なる位置に設けられている。
【００６５】
第３のグランド端子ＰＧ３は、素体１１の一方主面１１ａ側の面内のみに設けられた平面電極端子である。第３のグランド端子ＰＧ３は、第３入出力端子Ｐ３に対して、Ｙ負方向に間隔をあけて配置されている。第４のグランド端子ＰＧ４は、素体１１の他方主面１１ｂ側の面内のみに設けられた平面電極端子である。第４のグランド端子ＰＧ４は、第４入出力端子Ｐ４に対して、Ｙ負方向に間隔をあけて配置されている。
【００６６】
第３のグランド端子ＰＧ１および第４のグランド端子ＰＧ２は、積層方向Ｚに互いに対向して配置されている。図２Ｂに示されるように、第３のグランド端子ＰＧ３および第４のグランド端子ＰＧ４のそれぞれは、積層方向Ｚから見た場合に、第２受動素子Ｌ２と重なる位置に設けられている。
【００６７】
第３受動素子Ｌ３は、第１受動素子Ｌ１および第２受動素子Ｌ２が配列されたＸ方向（配列方向）に沿って、第２受動素子Ｌ２を基準にして第１受動素子Ｌ１とは反対側に設けられている。すなわち、第１受動素子Ｌ１、第２受動素子Ｌ２および第３受動素子Ｌ３は、Ｘ方向に沿って順に配列されている。
【００６８】
第３受動素子Ｌ３は、外形が矩形状のコイル素子であり、Ｘ方向に短辺、Ｙ方向に長辺を有し、そのコイル軸は積層方向Ｚの軸と平行である。すなわち、第１受動素子Ｌ１、第２受動素子Ｌ２および第３受動素子Ｌ３のそれぞれのコイル軸は互いに平行である。なお、第３受動素子Ｌ３のコイル巻き方向は、第１受動素子Ｌ１のコイル巻き方向と同じである。
【００６９】
また、第３受動素子Ｌ３は、素体１１の他方主面１１ｂよりも一方主面１１ａに近い位置であって、第２受動素子Ｌ２に対して、積層方向Ｚに所定距離ずれて配置されている。具体的には、第３受動素子Ｌ３は、Ｘ方向から見た場合に、第１受動素子Ｌ１に重なり、第２受動素子Ｌ２に重ならないように設けられている。
【００７０】
第５入出力端子Ｐ５は、素体１１の一方主面１１ａの面内のみに設けられた平面電極端子である。第５入出力端子Ｐ５は、第３入出力端子Ｐ３に対して、Ｘ正方向とＹ負方向との間の方角に間隔をあけて配置されている。第６入出力端子Ｐ６は、素体１１の他方主面１１ｂの面内のみに設けられた平面電極端子である。第６入出力端子Ｐ６は、第４入出力端子Ｐ４に対して、Ｘ正方向とＹ負方向との間の方角に間隔をあけて配置されている。第５入出力端子Ｐ５は第３受動素子Ｌ３の一端に接続され、第６入出力端子Ｐ６は第３受動素子Ｌ３の他端に接続されている。
【００７１】
第５入出力端子Ｐ５および第６入出力端子Ｐ６は、積層方向Ｚに互いに対向して配置されている。図２Ｂに示されるように、第５入出力端子Ｐ５、第６入出力端子Ｐ６のそれぞれは、積層方向Ｚから見た場合に、第３受動素子Ｌ３と重なる位置に設けられている。
【００７２】
第５のグランド端子ＰＧ５は、素体１１の一方主面１１ａ側の面内のみに設けられた平面電極端子である。第５のグランド端子ＰＧ５は、第５入出力端子Ｐ５に対して、Ｙ正方向に間隔をあけて配置されている。第６のグランド端子ＰＧ６は、素体１１の他方主面１１ｂ側の面内のみに設けられた平面電極端子である。第６のグランド端子ＰＧ６は、第６入出力端子Ｐ６に対して、Ｙ正方向に間隔をあけて配置されている。
【００７３】
第５のグランド端子ＰＧ５および第６のグランド端子ＰＧ６は、積層方向Ｚに互いに対向して配置されている。図２Ｂに示されるように、第５のグランド端子ＰＧ５および第６のグランド端子ＰＧ６のそれぞれは、積層方向Ｚから見た場合に、第３受動素子Ｌ３と重なる位置に設けられている。
【００７４】
［３．受動素子アレイの製造工程］
次に、受動素子アレイ１０の製造工程について説明する。
【００７５】
まず、基材層１２となるグリーンシートを複数準備する。具体的には、磁性体セラミック粉末を含んだスラリーをシート成形することによって磁性体のグリーンシートを準備する。
【００７６】
次いで、所定のグリーンシートに複数の貫通孔を形成する。そして、当該貫通孔内に導体ペーストを充填して複数のビア導体を形成するとともに、グリーンシート上に導体ペーストを所定パターンで印刷する。これにより、第１受動素子Ｌ１および第３受動素子Ｌ３を構成するループ状の第１コイルパターンおよび第３コイルパターンを形成する。また、上記と異なるグリーンシートに複数の貫通孔を形成する。そして、当該貫通孔内に導体ペーストを充填して複数のビア導体を形成するとともに、グリーンシート上に導体ペーストを所定パターンで印刷する。これにより、第２受動素子Ｌ２を構成するループ状の第２コイルパターンを形成する。貫通孔は、例えば、レーザー加工により形成される。
【００７７】
また、一方の最外層となるグリーンシートにビア導体を形成するとともに、導体ペーストを所定パターンで印刷し、第１入出力パターン、第３入出力パターン、第５入出力パターン、第１のグランドパターン、第３のグランドパターンおよび第５のグランドパターンを形成する。また、他方の最外層となるグリーンシートにビア導体を形成するとともに、第２入出力パターン、第４入出力パターン、第６入出力パターン、第２のグランドパターン、第４のグランドパターンおよび第６のグランドパターンを形成する。
【００７８】
これらのコイルパターン、入出力パターンおよびグランドパターンは、例えば、Ａｇ粉末を含んだ導体ペーストをスクリーン印刷することで形成される。なお、入出力パターンおよびグランドパターンは、印刷工法でなく、焼成後におけるスパッタなどの薄膜形成法で形成されてもよい。
【００７９】
次いで、コイルパターン、入出力パターン、グランドパターン等が形成された上記複数のグリーンシートを積層・圧着した後、個片化し、その後、一括して焼成する。この焼成により、各グリーンシート中の磁性体セラミック粉末が焼結し、また、導体ペースト中のＡｇ粉末が焼結する。これらの工程により受動素子アレイ１０を作製する。
【００８０】
［４．効果等］
以上説明したように、本実施の形態に係る受動素子アレイ１０は、複数の基材層１２を積層してなる素体１１と、素体１１内にて、基材層１２の積層方向Ｚから見た場合に異なる位置に設けられた第１受動素子Ｌ１、第２受動素子Ｌ２および第３受動素子Ｌ３と、素体１１の一方主面１１ａに設けられ、第１受動素子Ｌ１の一端に接続された第１入出力端子Ｐ１、第２受動素子Ｌ２の一端に接続された第３入出力端子Ｐ３、および、第３受動素子Ｌ３の一端に接続された第５入出力端子Ｐ５と、素体１１の他方主面１１ｂに設けられ、第１受動素子Ｌ１の他端に接続された第２入出力端子Ｐ２、第２受動素子Ｌ２の他端に接続された第４入出力端子Ｐ４、および、第３受動素子Ｌ３の他端に接続された第６入出力端子Ｐ６と、一方主面１１ａにおいて、第１入出力端子Ｐ１と第５入出力端子Ｐ５との間に設けられた第３のグランド端子ＰＧ３と、他方主面１１ｂにおいて、第２入出力端子Ｐ２と第６入出力端子Ｐ６との間に設けられた第４のグランド端子ＰＧ４とを備えている。
【００８１】
このように、第１入出力端子Ｐ１と第５入出力端子Ｐ５との間に第３のグランド端子ＰＧ３を設けることで、第１入出力端子Ｐ１と第５入出力端子Ｐ５とのアイソレーションを確保することができる。また、第２入出力端子Ｐ２と第６入出力端子Ｐ６との間に第４のグランド端子ＰＧ４を設けることで、第２入出力端子Ｐ２と第６入出力端子Ｐ６とのアイソレーションを確保することができる。
【００８２】
なお、本実施の形態では、受動素子Ｌ１の他端を入出力端子Ｐ２に、受動素子Ｌ２の他端を入出力端子Ｐ４に、受動素子Ｌ３の他端を入出力端子Ｐ６に接続しているが、素体１１の他方主面１１ｂにおける接続形態はこれらに限られない。例えば、入出力端子Ｐ２とＰ４との位置を入れ替えた上で、受動素子Ｌ１、Ｌ２の他端を入出力端子Ｐ２、Ｐ４にそれぞれ接続し、入出力端子Ｐ４とＰ６の間にグランド端子ＰＧ４を設けてもよい。また、入出力端子Ｐ４とＰ６との位置を入れ替えた上で、受動素子Ｌ２、Ｌ３の他端を入出力端子Ｐ４、Ｐ６にそれぞれ接続し、入出力端子Ｐ２とＰ４の間にグランド端子ＰＧ４を設けてもよい。
【００８３】
すなわち、本実施の形態の受動素子アレイ１０において、他方主面１１ｂ側のグランド端子は、第２入出力端子Ｐ２と第６入出力端子Ｐ６との間、第２入出力端子Ｐ２と第４入出力端子Ｐ４との間、および、第４入出力端子Ｐ４と第６入出力端子Ｐ６との間の少なくとも１つに設けられていればよい。
【００８４】
同様に、本実施の形態では、受動素子Ｌ１の一端を入出力端子Ｐ１に、受動素子Ｌ２の一端を入出力端子Ｐ３に、受動素子Ｌ３の一端を入出力端子Ｐ５に接続しているが、素体１１の一方主面１１ａにおける接続形態はこれらに限られない。例えば、入出力端子Ｐ１とＰ３との位置を入れ替えた上で、受動素子Ｌ１、Ｌ２の一端を入出力端子Ｐ１、Ｐ３にそれぞれ接続し、入出力端子Ｐ３とＰ５の間にグランド端子ＰＧ３を設けてもよい。また、入出力端子Ｐ３とＰ５との位置を入れ替えた上で、受動素子Ｌ２、Ｌ３の一端を入出力端子Ｐ３、Ｐ５にそれぞれ接続し、入出力端子Ｐ１とＰ３の間にグランド端子ＰＧ３を設けてもよい。
【００８５】
すなわち、本実施の形態の受動素子アレイ１０において、一方主面１１ａ側のグランド端子は、第１入出力端子Ｐ１と第５入出力端子Ｐ５との間、第１入出力端子Ｐ１と第３入出力端子Ｐ３との間、および、第３入出力端子Ｐ３と第５入出力端子Ｐ５との間の少なくとも１つに設けられていればよい。
【００８６】
また、本実施の形態では、第３のグランド端子ＰＧ３は、第１入出力端子Ｐ１と第５入出力端子Ｐ５との間を完全に割り込むように設けられているが、これに限られず、第１入出力端子Ｐ１と第５入出力端子Ｐ５との間の領域の一部に入り込むように設けられていてもよい。すなわち、第３のグランド端子ＰＧ３は、Ｘ方向から見た場合に、第１入出力端子Ｐ１および第５入出力端子Ｐ５の一部に重なっていればよい。
【００８７】
同様に、本実施の形態では、第４のグランド端子ＰＧ４は、第２入出力端子Ｐ２と第６入出力端子Ｐ６との間を完全に割り込むように設けられているが、これに限られず、第２入出力端子Ｐ２と第６入出力端子Ｐ６との間の領域の一部に入り込むように設けられていてもよい。すなわち、第４のグランド端子ＰＧ４は、Ｘ方向から見た場合に、第２入出力端子Ｐ２および第６入出力端子Ｐ６の一部に重なっていればよい。
【００８８】
また、本実施の形態では、Ｘ正方向とＹ正方向の間の方角に隣り合う第１入出力端子Ｐ１と第３入出力端子Ｐ３との間の領域の一部に、第１のグランド端子ＰＧ１および第３のグランド端子ＰＧ３のそれぞれが入り込むように配置されている。この構造により、第１入出力端子Ｐ１と第３入出力端子Ｐ３との信号干渉を低減することができる。
【００８９】
また、Ｘ正方向とＹ負方向の間の方角に隣り合う第３入出力端子Ｐ３と第５入出力端子Ｐ５との間の領域の一部に、第３のグランド端子ＰＧ３および第５のグランド端子ＰＧ５のそれぞれが入り込むように配置されている。この構造により、第３入出力端子Ｐ３と第５入出力端子Ｐ５との信号干渉を低減することができる。
【００９０】
同様に、Ｘ正方向とＹ正方向の間の方角に隣り合う第２入出力端子Ｐ２と第４入出力端子Ｐ４との間の領域の一部に、第２のグランド端子ＰＧ２および第４のグランド端子ＰＧ４のそれぞれが入り込むように配置されている。この構造により、第２入出力端子Ｐ２と第４入出力端子Ｐ４との信号干渉を低減することができる。
【００９１】
また、Ｘ正方向とＹ負方向の間の方角に隣り合う第４入出力端子Ｐ４と第６入出力端子Ｐ６との間の領域の一部に、第４のグランド端子ＰＧ４および第６のグランド端子ＰＧ６のそれぞれが入り込むように配置されている。この構造により、第４入出力端子Ｐ４と第６入出力端子Ｐ６との信号干渉を低減することができる。
【００９２】
［５．プリント配線板の構成］
次に、受動素子アレイ１０を、プリント配線板に内蔵した場合について説明する。
【００９３】
図４は、受動素子アレイ１０を内蔵したプリント配線板２０の斜視図である。図５は、プリント配線板２０を図４に示すＶ−Ｖ線で切断した場合の模式図である。
【００９４】
本実施の形態に係るプリント配線板２０は、例えば、高周波モジュール５０を構成する基板として用いられる。高周波モジュール５０は、例えば、ＤＣ−ＤＣコンバータであり、図４および図５に示されるように、受動素子アレイ１０を内蔵したプリント配線板２０と、プリント配線板２０に搭載された実装部品３０（スイッチングＩＣ３１、チップコンデンサ３２、３３など）とを備えている。スイッチングＩＣ３１は、入力端子に入力される電圧をスイッチングして出力端子から出力するＩＣである。チップコンデンサ３２、３３は入力側および出力側の平滑コンデンサである。受動素子アレイ１０のコイル素子の１つは、チョークコイルとして用いられる。
【００９５】
プリント配線板２０は、各種の電子部品を実装し、これらを接続する配線パターンを備えた回路基板である。例えば、複数の樹脂基材層１１２が積層圧着されることで形成された基板である。樹脂基材層１１２の材料としては、例えば、液晶ポリマー（ＬＣＰ）またはポリイミドなどの熱可塑性樹脂シートが用いられる。プリント配線板２０には、面内導体、層間導体、表面導体などの各種の導体が設けられる。受動素子アレイ１０は、その全体がプリント配線板２０に埋め込まれ、上記各種の導体を介して実装部品３０に接続される。なお、プリント配線板２０は、樹脂基材層１１２の積層体に限られず、磁性体材料よりも透磁率が低い材料からなる基材の積層体であってもよい。
【００９６】
次に、プリント配線板２０内における、受動素子アレイ１０の各入出力端子および各グランド端子の接続形態について説明する。
【００９７】
図６Ａは、プリント配線板２０に内蔵された受動素子アレイ１０の一方主面１１ａの接続形態を示す図である。図６Ｂは、プリント配線板２０に内蔵された受動素子アレイ１０の他方主面１１ｂの接続形態を示す図である。
【００９８】
図６Ａに示されるように、受動素子アレイ１０の一方主面１１ａ側において、第１入出力端子Ｐ１は、層間導体２２１を介して信号ライン２１１に接続され、第３入出力端子Ｐ３は、層間導体２２３を介して信号ライン２１３に接続され、第５入出力端子Ｐ５は、層間導体２２５を介して信号ライン２１５に接続される。信号ライン２１１はＸ負方向に引き出され、信号ライン２１３はＹ正方向に引き出され、信号ライン２１５はＸ正方向に引き出され、それぞれの所定の実装部品３０に接続される。
【００９９】
また、第３のグランド端子ＰＧ３は、層間導体２５３を介して、グランドライン２４３に接続される。グランドライン２４３は、Ｙ負方向に引き出され、プリント配線板２０のほぼ全面に設けられたグランド電極に接続される。
【０１００】
本実施の形態では、受動素子アレイ１０が、第１入出力端子Ｐ１と第５入出力端子Ｐ５との間に第３のグランド端子ＰＧ３を有している。そのため、受動素子アレイ１０をプリント配線板２０に内蔵した場合に、信号ライン２１１と信号ライン２１５との間にグランドライン２４３が配置された構造となる。これにより、プリント配線板２０において、信号ライン２１１と信号ライン２１５とのアイソレーションを確保することができる。
【０１０１】
また、図６Ａに示されるように、第１のグランド端子ＰＧ１は、層間導体２５１を介してグランドライン２４１に接続され、第５のグランド端子ＰＧ５は、層間導体２５５を介してグランドライン２４５に接続される。グランドライン２４１はＹ負方向に引き出され、グランドライン２４５はＹ正方向に引き出され、プリント配線板２０のほぼ全面に設けられたグランド電極にそれぞれ接続される。
【０１０２】
本実施の形態の受動素子アレイ１０は、第３入出力端子Ｐ３のＸ負方向に第１のグランド端子ＰＧ１を有し、第３入出力端子Ｐ３のＸ正方向に第５のグランド端子ＰＧ５を有している。そのため、受動素子アレイ１０をプリント配線板２０に内蔵した場合に、受動素子アレイ１０の近傍における信号ライン２１３が、グランドライン２４１およびグランドライン２４５で挟まれた構造となる。これらの構造により、信号ライン２１３の信号と、プリント配線板２０内の他の信号ラインの信号との干渉を抑制することができる。
【０１０３】
また、図６Ｂに示されるように、受動素子アレイ１０の他方主面１１ｂ側において、第２入出力端子Ｐ２は、層間導体２２２を介して信号ライン２１２に接続され、第４入出力端子Ｐ４は、層間導体２２４を介して信号ライン２１４に接続され、第６入出力端子Ｐ６は、層間導体２２６を介して信号ライン２１６に接続される。信号ライン２１２はＸ負方向に引き出され、信号ライン２１４はＹ正方向に引き出され、信号ライン２１６はＸ正方向に引き出され、それぞれの所定の実装部品３０に接続される。
【０１０４】
また、第４のグランド端子ＰＧ４は、層間導体２５４を介して、グランドライン２４４に接続される。グランドライン２４４は、Ｙ負方向に引き出され、プリント配線板２０のほぼ全面に設けられたグランド電極に接続される。
【０１０５】
本実施の形態の受動素子アレイ１０は、第２入出力端子Ｐ２と第６入出力端子Ｐ６との間に第４のグランド端子ＰＧ４を有している。そのため、受動素子アレイ１０をプリント配線板２０に内蔵した場合に、信号ライン２１２と信号ライン２１６との間にグランドライン２４４が配置された構造となる。これにより、プリント配線板２０において、信号ライン２１２と信号ライン２１６とのアイソレーションを確保することができる。
【０１０６】
また、図６Ｂに示されるように、第２のグランド端子ＰＧ２は、層間導体２５２を介してグランドライン２４２に接続され、第６のグランド端子ＰＧ６は、層間導体２５６を介してグランドライン２４６に接続される。グランドライン２４２はＹ負方向に引き出され、グランドライン２４６はＹ正方向に引き出され、プリント配線板２０のほぼ全面に設けられたグランド電極にそれぞれ接続される。
【０１０７】
本実施の形態の受動素子アレイ１０は、第４入出力端子Ｐ４のＸ負方向に第２のグランド端子ＰＧ２を有し、第４入出力端子Ｐ４のＸ正方向に第６のグランド端子ＰＧ６を有している。そのため、受動素子アレイ１０をプリント配線板２０に内蔵した場合に、受動素子アレイ１０の近傍における信号ライン２１４が、グランドライン２４２およびグランドライン２４６で挟まれた構造となる。これらの構造により、信号ライン２１４の信号と、プリント配線板２０内の他の信号ラインの信号との干渉を抑制することができる。
【０１０８】
（実施の形態２）
実施の形態２に係る受動素子アレイ１０Ａは、実施の形態１の受動素子アレイ１０とは、素体１１の他方主面１１ｂにおける入出力端子およびグランド端子の配置が異なる。
【０１０９】
図７は、実施の形態２に係る受動素子アレイ１０Ａの模式図である。図８Ａは、受動素子アレイ１０ＡをＹ方向から見た場合の断面の模式図である。図８Ｂは、受動素子アレイ１０Ａを積層方向Ｚから見た場合の図である。
【０１１０】
まず、図７、図８Ａおよび図８Ｂを参照しつつ、本実施の形態の受動素子アレイ１０Ａの構成について説明する。
【０１１１】
受動素子アレイ１０Ａでは、第２入出力端子Ｐ２が、第１のグランド端子ＰＧ１に対して積層方向Ｚに対向するように配置され、第２のグランド端子ＰＧ２が、第１入出力端子Ｐ１に対して積層方向Ｚに対向するように配置されている。第１受動素子Ｌ１は、積層方向Ｚから見た場合、第１入出力端子Ｐ１と重なる領域に設けられている。第１受動素子Ｌ１の他端は、第２入出力端子Ｐ２に接続される。
【０１１２】
また、第４入出力端子Ｐ４が、第３のグランド端子ＰＧ３に対して積層方向Ｚに対向するように配置され、第４のグランド端子ＰＧ４が、第３入出力端子Ｐ３に対して積層方向Ｚに対向するように配置されている。第２受動素子Ｌ２は、積層方向Ｚから見た場合、第３のグランド端子ＰＧ３と重なる領域に設けられている。第２受動素子Ｌ２の一端は、第３入出力端子Ｐ３に接続される。
【０１１３】
また、第６入出力端子Ｐ６が、第５のグランド端子ＰＧ５に対して積層方向Ｚに対向するように配置され、第６のグランド端子ＰＧ６が、第５入出力端子Ｐ５に対して積層方向Ｚに対向するように配置されている。第３受動素子Ｌ３は、積層方向Ｚから見た場合、第５入出力端子Ｐ５と重なる領域に設けられている。第３受動素子Ｌ３の他端は、第６入出力端子Ｐ６に接続される。
【０１１４】
本実施の形態に係る受動素子アレイ１０Ａでは、一方主面１１ａにおいて、第１入出力端子Ｐ１と第５入出力端子Ｐ５との間に第３のグランド端子ＰＧ３が設けられているので、第１入出力端子Ｐ１と第５入出力端子Ｐ５とのアイソレーションを確保することができる。また、受動素子アレイ１０Ａでは、他方主面１１ｂにおいて、第２入出力端子Ｐ２と第６入出力端子Ｐ６との間に第４のグランド端子ＰＧ４が設けられているので、第２入出力端子Ｐ２と第６入出力端子Ｐ６とのアイソレーションを確保することができる。
【０１１５】
図９は、実施の形態２に係るプリント配線板２０をＹ方向から見た場合の断面の模式図である。図１０Ａは、プリント配線板２０に内蔵された受動素子アレイ１０Ａの一方主面１１ａの接続形態を示す図である。図１０Ｂは、プリント配線板２０に内蔵された受動素子アレイ１０Ａの他方主面１１ｂの接続形態を示す図である。
【０１１６】
ここで、図９および図１０Ａに示す受動素子アレイ１０Ａの一方主面１１ａの接続形態は、実施の形態１に示す受動素子アレイ１０と同じである。そこで、実施の形態２では、受動素子アレイ１０Ａの一方主面１１ａにおける各構成要素の説明を省略する。
【０１１７】
また、図１０Ｂに示す受動素子アレイ１０Ａの他方主面１１ｂの接続形態は、実施の形態１に示す受動素子アレイ１０とは、入出力端子、グランド端子、ビア導体、信号ラインおよびグランドラインの配置や方向の一部が異なっているが、各構成要素の機能は同じである。そこで、他方主面１１ｂにおいても、実施の形態１と共通する構成要素には同じ記号を付し、説明を省略する。
【０１１８】
本実施の形態のプリント配線板２０は、信号ライン２１１と信号ライン２１５との間にグランドライン２４３が配置された構造を有しているので、信号ライン２１１と信号ライン２１５とのアイソレーションを確保することができる。
【０１１９】
また、このプリント配線板２０は、信号ライン２１２と信号ライン２１６との間にグランドライン２４４が配置された構造を有しているので、信号ライン２１２と信号ライン２１６とのアイソレーションを確保することができる。
【０１２０】
（実施の形態３）
実施の形態３に係る受動素子アレイ１０Ｂは、実施の形態２で示した３つのコイル素子に対応する３つのコンデンサをそれぞれ備えている。
【０１２１】
図１１は、実施の形態３に係る受動素子アレイ１０Ｂの模式図である。図１２は、受動素子アレイ１０ＢをＹ方向から見た場合の断面の模式図である。図１３は、受動素子アレイ１０Ｂの等価回路を示す図である。
【０１２２】
図１１および図１２に示されるように、受動素子アレイ１０Ｂは、素体１１内に、第１対向電極ＯＰ１、第２対向電極ＯＰ２および第３対向電極ＯＰ３を備えている。
【０１２３】
第１対向電極ＯＰ１は、平型状の内部電極であり、第２のグランド端子ＰＧ２と対向して設けられる。第１対向電極ＯＰ１と第２のグランド端子ＰＧ２とが対向することで、第１コンデンサＣ１が形成される。第１対向電極ＯＰ１は、第１受動素子Ｌ１の一端または他端に接続される。本実施の形態では、第１対向電極ＯＰ１は、第１受動素子Ｌ１の他端と第２入出力端子Ｐ２との間に接続されている。
【０１２４】
第２対向電極ＯＰ２は、平型状の内部電極であり、第３のグランド端子ＰＧ３と対向して設けられる。第２対向電極ＯＰ２と第３のグランド端子ＰＧ３とが対向することで、第２コンデンサＣ２が形成される。第２対向電極ＯＰ２は、第２受動素子Ｌ２の一端または他端に接続される。本実施の形態では、第２対向電極ＯＰ２は、第２受動素子Ｌ２の一端と第３入出力端子Ｐ３との間に接続されている。
【０１２５】
第３対向電極ＯＰ３は、平型状の内部電極であり、第６のグランド端子ＰＧ６と対向して設けられる。第３対向電極ＯＰ３と第６のグランド端子ＰＧ６とが対向することで、第３コンデンサＣ３が形成される。第３対向電極ＯＰ３は、第３受動素子Ｌ３の一端または他端に接続される。本実施の形態では、第３対向電極ＯＰ３は、第３受動素子Ｌ３の他端と第６入出力端子Ｐ６との間に接続されている。
【０１２６】
これらにより、受動素子アレイ１０Ｂは、図１３に示されるように、３つのＬＣフィルタ（ローパスフィルタ）を有する構造となっている。
【０１２７】
なお、本実施の形態では、第１受動素子Ｌ１、第２受動素子Ｌ２および第３受動素子Ｌ３をＸ方向から見た場合に、第２受動素子Ｌ２が、第１受動素子Ｌ１の一部および第３受動素子Ｌ３の一部に重なるように配置されている。
【０１２８】
なお、第１対向電極ＯＰ１と第２のグランド端子ＰＧ２との間、第２対向電極ＯＰ２と第３のグランド端子ＰＧ３との間、および、第３対向電極ＯＰ３と第６のグランド端子ＰＧ６との間の層を、誘電体材料により形成してもよい。その場合、第１コンデンサＣ１、第２コンデンサＣ２および第３コンデンサＣ３の容量を大きくすることが可能である。
【０１２９】
（実施の形態４）
実施の形態４に係る受動素子アレイ１０Ｃは、実施の形態２の受動素子アレイ１０Ａとは、受動素子Ｌ１、Ｌ３の配置が異なる。
【０１３０】
図１４は、実施の形態４に係る受動素子アレイ１０Ｃの模式図である。図１５Ａは、受動素子アレイ１０ＣをＹ方向から見た場合の断面の模式図である。図１５Ｂは、受動素子アレイ１０Ｃを積層方向Ｚから見た場合の図である。
【０１３１】
受動素子アレイ１０Ｃでは、積層方向Ｚから見た場合、第１受動素子Ｌ１は、第１のグランド端子ＰＧ１と重なる領域に設けられ、第２受動素子Ｌ２は、第３のグランド端子ＰＧ３と重なる領域に設けられ、第３受動素子Ｌ３は、第５のグランド端子ＰＧ５と重なる領域に設けられている。すなわち、第１受動素子Ｌ１および第３受動素子Ｌ３は、第２受動素子Ｌ２に対してＹ正方向に所定距離ずれて配置されている。これにより、第１受動素子Ｌ１と第２受動素子Ｌ２との間の信号の干渉、および、第２受動素子Ｌ２と第３受動素子Ｌ３との間の信号の干渉を低減することができる。
【０１３２】
また、第１受動素子Ｌ１は、第１のグランド端子ＰＧ１から離れて第２入出力端子Ｐ２に近い位置に設けられ、第２受動素子Ｌ２は、第３のグランド端子ＰＧ３から離れて第４入出力端子Ｐ４に近い位置に設けられ、第３受動素子Ｌ３は、第５のグランド端子ＰＧ５から離れて第６入出力端子Ｐ６に近い位置に設けられている。このように、コイル素子である受動素子Ｌ１、Ｌ２、Ｌ３をグランド端子ＰＧ１、ＰＧ３、ＰＧ５からそれぞれ遠ざけることで、グランド端子ＰＧ１、ＰＧ３、ＰＧ５が磁界形成の妨げとなることを抑制できる。
【０１３３】
本実施の形態に係る受動素子アレイ１０Ｃでは、一方主面１１ａにおいて、第１入出力端子Ｐ１と第５入出力端子Ｐ５との間に第３のグランド端子ＰＧ３が設けられているので、第１入出力端子Ｐ１と第５入出力端子Ｐ５とのアイソレーションを確保することができる。また、受動素子アレイ１０Ｃでは、他方主面１１ｂにおいて、第２入出力端子Ｐ２と第６入出力端子Ｐ６との間に第４のグランド端子ＰＧ４が設けられているので、第２入出力端子Ｐ２と第６入出力端子Ｐ６とのアイソレーションを確保することができる。
【０１３４】
（実施の形態５）
実施の形態５では、実施の形態１に示す受動素子アレイ１０が実装されたプリント配線板３２０について説明する。図１６Ａは、受動素子アレイ１０が実装されたプリント配線板３２０を示す斜視図である。なお、図１６Ａでは、フレキシブルケーブル３４０の一部を切り欠いた状態で示している。
【０１３５】
本実施の形態のプリント配線板３２０は、電子機器に内蔵されるマザーボードであり、図１６Ａに示すように受動素子アレイ１０および複数の表面実装部品３３０（例えば、スイッチングＩＣ、チップコンデンサなど）が搭載されている。
【０１３６】
プリント配線板３２０に実装された受動素子アレイ１０には、フレキシブルケーブル３４０が接続されている。具体的には、受動素子アレイ１０の一方主面１１ａ側の第１入出力端子Ｐ１、第３入出力端子Ｐ３、第５入出力端子Ｐ５、第１のグランド端子ＰＧ１、第３のグランド端子ＰＧ３および第５のグランド端子ＰＧ５のそれぞれが、フレキシブルケーブル３４０にはんだ等で接合されている。また、受動素子アレイ１０の他方主面１１ｂ側の第２入出力端子Ｐ２、第４入出力端子Ｐ４、第６入出力端子Ｐ６、第２のグランド端子ＰＧ２、第４のグランド端子ＰＧ４および第６のグランド端子ＰＧ６のそれぞれが、プリント配線板３２０にはんだ等で接合されている。すなわち、フレキシブルケーブル３４０とプリント配線板３２０とは、受動素子アレイ１０の素体１１を間に挟んで接続されており、受動素子アレイ１０は、フレキシブルケーブル３４０およびプリント配線板３２０のインターポーザとして用いられている。以降、第１入出力端子Ｐ１、第３入出力端子Ｐ３、第５入出力端子Ｐ５、第１のグランド端子ＰＧ１、第３のグランド端子ＰＧ３および第５のグランド端子ＰＧ５を総称して、一方主面１１ａ側の端子と呼ぶ。以降、第２入出力端子Ｐ２、第４入出力端子Ｐ４、第６入出力端子Ｐ６、第２のグランド端子ＰＧ２、第４のグランド端子ＰＧ４および第６のグランド端子ＰＧ６を総称して、他方主面１１ｂ側の端子と呼ぶ。
【０１３７】
本実施の形態のプリント配線板３２０には、実施の形態１に示す受動素子アレイ１０が実装されている。そして、受動素子アレイ１０の他方主面１１ｂ側の端子は、プリント配線板３２０に接続されている。また、受動素子アレイ１０の一方主面１１ａ側の端子は、フレキシブルケーブル３４０に接続される構造となっている。
【０１３８】
このプリント配線板３２０によれば、受動素子アレイ１０の一方主面１１ａ側に少なくとも１つのグランド端子が設けられるので、フレキシブルケーブル３４０のうちの一方主面１１ａ側に接続される領域のアイソレーションを確保することができる。また、受動素子アレイ１０の他方主面１１ｂ側に少なくとも１つのグランド端子が設けられるので、プリント配線板３２０のうちの他方主面１１ｂ側に接続される領域のアイソレーションを確保することができる。
【０１３９】
なお、図１６Ａでは、受動素子アレイ１０にフレキシブルケーブル３４０が接続される例を示したが、これに限られず、例えば、図１６Ｂに示すように、受動素子アレイ１０にフレキシブル配線板３５０が接続されてもよい。すなわち、プリント配線板３２０には、実施の形態１に示す受動素子アレイ１０が実装され、受動素子アレイ１０の一方主面１１ａ側の端子は、フレキシブル配線板３５０に接続される構造であってもよい。
【０１４０】
また、上記実施の形態では、受動素子アレイとして実施の形態１に示す受動素子アレイ１０を例に挙げて説明したが、それに限られず、プリント配線板３２０には、実施の形態２に示す受動素子アレイ１０Ａが実装されてもよいし、実施の形態３に示す受動素子アレイ１０Ｂが実装されてもよいし、実施の形態４に示す受動素子アレイ１０Ｃが実装されてもよい。
【０１４１】
すなわち、プリント配線板３２０には、実施の形態２に示す受動素子アレイ１０Ａが実装され、受動素子アレイ１０Ａの他方主面１１ｂ側の端子のそれぞれが、プリント配線板３２０に接続され、受動素子アレイ１０Ａの一方主面１１ａ側の端子のそれぞれが、フレキシブルケーブル３４０またはフレキシブル配線板３５０に接続される構造であってもよい。
【０１４２】
また、プリント配線板３２０には、実施の形態３に示す受動素子アレイ１０Ｂが実装され、受動素子アレイ１０Ｂの他方主面１１ｂ側の端子のそれぞれが、プリント配線板３２０に接続され、受動素子アレイ１０Ｂの一方主面１１ａ側の端子のそれぞれが、フレキシブルケーブル３４０またはフレキシブル配線板３５０に接続される構造であってもよい。
【０１４３】
また、プリント配線板３２０には、実施の形態４に示す受動素子アレイ１０Ｃが実装され、受動素子アレイ１０Ｃの他方主面１１ｂ側の端子のそれぞれが、プリント配線板３２０に接続され、受動素子アレイ１０Ｃの一方主面１１ａ側の端子のそれぞれが、フレキシブルケーブル３４０またはフレキシブル配線板３５０に接続される構造であってもよい。
【０１４４】
（その他の実施の形態）
以上、本発明の実施の形態１、２、３、４、５に係る受動素子アレイ１０、１０Ａ、１０Ｂ、１０Ｃおよびプリント配線板２０、３２０について説明したが、本発明は、個々の実施の形態１、２、３、４、５には限定されない。本発明の趣旨を逸脱しない限り、当業者が思いつく各種変形を実施の形態１、２、３、４、５に施したものや、異なる実施の形態における構成要素を組み合わせて構築される形態も、本発明の一つ又は複数の態様の範囲内に含まれてもよい。
【０１４５】
例えば、受動素子アレイは、受動素子を４つ以上備えていてもよい。すなわち、受動素子、一対の入出力端子および一対のグランド端子を一組とする複数の受動素子ユニットが順次配列された構造であってもよい。これにより、奇数番目に配置された受動素子間の入出力端子間に偶数番目のグランド端子を設けることができ、また、偶数番目に配置された受動素子ユニット間の入出力端子間に奇数番目のグランド端子を設けることができる。これにより、受動素子ユニット間の入出力端子間のアイソレーションを確保することができる。
【０１４６】
また、実施の形態１、２、３、４、５では、受動素子としてインダクタを例に挙げて説明したが、それに限られず、受動素子は複数の対向電極を有するコンデンサであってもよい。その場合、コンデンサである第１受動素子Ｌ１の一端および他端に入出力端子Ｐ１、Ｐ２をそれぞれ接続し、コンデンサである第２受動素子Ｌ２の一端および他端に入出力端子Ｐ３、Ｐ４をそれぞれ接続し、コンデンサである第３受動素子Ｌ３の一端および他端に入出力端子Ｐ５、Ｐ６をそれぞれ接続すればよい。
【０１４７】
また、本実施の形態１では、第１受動素子Ｌ１および第２受動素子Ｌ２をＸ方向から見た場合に、互いに重ならないように配置されているが、それに限られず、第１受動素子Ｌ１および第２受動素子Ｌ２のそれぞれの一部が重なるように配置されていてもよい。
【０１４８】
また、本実施の形態１では、第１受動素子Ｌ１および第３受動素子Ｌ３が一方主面１１ａ側寄りに、第２受動素子Ｌ２が他方主面１１ｂ側寄りに配置されているが、それぞれの受動素子と入出力端子とを繋ぐ引き出し導体を積層方向Ｚに延ばして設け、第１受動素子Ｌ１および第３受動素子Ｌ３を他方主面１１ｂ側寄りに、第２受動素子Ｌ２を一方主面１１ａ側寄りに配置してもよい。
【０１４９】
また、本実施の形態１では、第１受動素子Ｌ１が１つのコイル素子で構成されているが、それに限られず、第１受動素子Ｌ１は、Ｙ方向に並べて配置した２つのコイル素子を直列接続することで構成されてもよい。また、第２受動素子Ｌ２および第３受動素子Ｌ３のそれぞれが、Ｙ方向に並べて配置した２つのコイル素子を直列接続することで構成されてもよい。
【産業上の利用可能性】
【０１５０】
本発明の受動素子アレイは、例えば、プリント配線板に内蔵される形態で利用することができる。また、本発明のプリント配線板は、ＤＣ−ＤＣコンバータなどの高周波モジュールに用いられる基板として広く利用することができる。
【符号の説明】
【０１５１】
１０、１０Ａ、１０Ｂ、１０Ｃ  受動素子アレイ
１１    素体
１１ａ  一方主面
１１ｂ  他方主面
１２    基材層
２０    プリント配線板
３０    実装部品
３１    スイッチングＩＣ
３２、３３  チップコンデンサ
５０    高周波モジュール
１１２  樹脂基材層
２１１、２１２、２１３、２１４、２１５、２１６  信号ライン
２２１、２２２、２２３、２２４、２２５、２２６、２５１、２５２、２５３、２５４、２５５、２５６  層間導体
２４１、２４２、２４３、２４４、２４５、２４６  グランドライン
３２０  プリント配線板
３３０  表面実装部品
３４０  フレキシブルケーブル
３５０  フレキシブル配線板
Ｃ１    第１コンデンサ
Ｃ２    第２コンデンサ
Ｃ３    第３コンデンサ
Ｌ１    第１受動素子
Ｌ２    第２受動素子
Ｌ３    第３受動素子
ＯＰ１  第１対向電極
ＯＰ２  第２対向電極
ＯＰ３  第３対向電極
Ｐ１    第１入出力端子
Ｐ２    第２入出力端子
Ｐ３    第３入出力端子
Ｐ４    第４入出力端子
Ｐ５    第５入出力端子
Ｐ６    第６入出力端子
ＰＧ１    第１のグランド端子
ＰＧ２    第２のグランド端子
ＰＧ３    第３のグランド端子
ＰＧ４    第４のグランド端子
ＰＧ５    第５のグランド端子
ＰＧ６    第６のグランド端子
Ｘ      受動素子が配列されている方向
Ｙ      積層方向ＺおよびＸ方向の両方に垂直な方向
Ｚ      積層方向
【図１】
2017179590.tif 000003
【図２Ａ】
2017179590.tif 000004
【図２Ｂ】
2017179590.tif 000005
【図３】
2017179590.tif 000006
【図４】
2017179590.tif 000007
【図５】
2017179590.tif 000008
【図６Ａ】
2017179590.tif 000009
【図６Ｂ】
2017179590.tif 000010
【図７】
2017179590.tif 000011
【図８Ａ】
2017179590.tif 000012
【図８Ｂ】
2017179590.tif 000013
【図９】
2017179590.tif 000014
【図１０Ａ】
2017179590.tif 000015
【図１０Ｂ】
2017179590.tif 000016
【図１１】
2017179590.tif 000017
【図１２】
2017179590.tif 000018
【図１３】
2017179590.tif 000019
【図１４】
2017179590.tif 000020
【図１５Ａ】
2017179590.tif 000021
【図１５Ｂ】
2017179590.tif 000022
【図１６Ａ】
2017179590.tif 000023
【図１６Ｂ】
2017179590.tif 000024
【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
プリント配線板に内蔵される受動素子アレイであって、
複数の基材層を積層してなる素体と、
前記素体内にて、前記基材層の積層方向から見た場合にそれぞれ異なる位置に設けられた第１受動素子、第２受動素子および第３受動素子と、
前記素体の一方主面に設けられ、前記第１受動素子の一端に接続された第１入出力端子、前記第２受動素子の一端に接続された第３入出力端子、および、前記第３受動素子の一端に接続された第５入出力端子と、
前記素体の他方主面に設けられ、前記第１受動素子の他端に接続された第２入出力端子、前記第２受動素子の他端に接続された第４入出力端子、および、前記第３受動素子の他端に接続された第６入出力端子と、
前記一方主面において、前記第１入出力端子と前記第５入出力端子との間に設けられた一方主面側のグランド端子と、
前記他方主面において、前記第２入出力端子と前記第６入出力端子との間に設けられた他方主面側のグランド端子と
を備え、
前記第１受動素子、前記第２受動素子および前記第３受動素子は、前記積層方向から見た場合に、前記積層方向と垂直な方向に順に配列される、
受動素子アレイ。
【請求項２】
前記一方主面側のグランド端子と異なる一方主面側のグランド端子をさらに備え、
前記一方主面側のグランド端子と異なる一方主面側のグランド端子は、前記第１入出力端子と前記第３入出力端子との間、および、前記第３入出力端子と前記第５入出力端子との間の少なくとも１つに設けられる、
請求項１に記載の受動素子アレイ。
【請求項３】
前記他方主面側のグランド端子と異なる他方主面側のグランド端子をさらに備え、
前記他方主面側のグランド端子と異なる他方主面側のグランド端子は、さらに、前記第２入出力端子と前記第４入出力端子との間、および、前記第４入出力端子と前記第６入出力端子との間の少なくとも１つに設けられる、
請求項１または２に記載の受動素子アレイ。
【請求項４】
前記素体を前記積層方向から見た場合に、
前記第１入出力端子および前記第２入出力端子は、前記第１受動素子と重なる位置に設けられ、
前記第３入出力端子および前記第４入出力端子は、前記第２受動素子と重なる位置に設けられ、
前記第５入出力端子および前記第６入出力端子は、前記第３受動素子と重なる位置に設けられている
請求項１〜３のいずれか１項に記載の受動素子アレイ。
【請求項５】
前記素体を前記積層方向から見た場合に、
前記一方主面側のグランド端子および前記他方主面側のグランド端子の少なくとも一方は、前記第２受動素子と重なる位置に設けられている
請求項１〜４のいずれか１項に記載の受動素子アレイ。
【請求項６】
前記一方主面側のグランド端子および前記他方主面側のグランド端子は、それぞれ第３のグランド端子および第４のグランド端子であり、
さらに、
前記一方主面にそれぞれ設けられた第１のグランド端子および第５のグランド端子と、
前記他方主面にそれぞれ設けられた第２のグランド端子および第６のグランド端子と
を備え、
前記積層方向から見た場合に、
前記第１のグランド端子および第２のグランド端子の少なくとも一方は、前記第１受動素子と重なる位置に設けられ、
前記第５のグランド端子および第６のグランド端子の少なくとも一方は、前記第３受動素子と重なる位置に設けられている
請求項５に記載の受動素子アレイ。
【請求項７】
前記第１入出力端子、前記第３入出力端子、前記第５入出力端子、前記第１のグランド端子、前記第３のグランド端子および前記第５のグランド端子は、前記一方主面に行列状に配置され、かつ、前記第１入出力端子、前記第３入出力端子および前記第５入出力端子と、前記第１のグランド端子、前記第３のグランド端子および前記第５のグランド端子とは、前記積層方向から見た場合に、前記第１受動素子、前記第２受動素子および前記第３受動素子が配列された配列方向に沿って、順に互い違いに配置され、
前記第２入出力端子、前記第４入出力端子、前記第６入出力端子、前記第２のグランド端子、前記第４のグランド端子および前記第６のグランド端子は、前記他方主面に行列状に配置され、かつ、前記第２入出力端子、前記第４入出力端子および前記第６入出力端子と、前記第２のグランド端子、前記第４のグランド端子および前記第６のグランド端子とは、前記積層方向から見た場合に、前記配列方向に沿って、順に互い違いに配置されている
請求項６に記載の受動素子アレイ。
【請求項８】
さらに、
前記素体内に、前記第２のグランド端子に対向する第１対向電極、前記第３のグランド端子に対向する第２対向電極、および、前記第６のグランド端子に対向する第３対向電極を備え、
前記第１対向電極は、前記第１受動素子の一端または他端に接続され、
前記第２対向電極は、前記第２受動素子の一端または他端に接続され、
前記第３対向電極は、前記第３受動素子の一端または他端に接続されている
請求項６または７に記載の受動素子アレイ。
【請求項９】
前記第１受動素子、前記第２受動素子および前記第３受動素子の少なくとも１つの受動素子は、他の受動素子に対して前記積層方向の異なる位置に設けられている
請求項１〜８のいずれか１項に記載の受動素子アレイ。
【請求項１０】
前記第１受動素子および第３受動素子は、前記他方主面よりも前記一方主面に近い位置に設けられ、前記第２受動素子は、前記一方主面よりも前記他方主面に近い位置に設けられている
請求項１〜９のいずれか１項に記載の受動素子アレイ。
【請求項１１】
前記第１受動素子、前記第２受動素子および前記第３受動素子のそれぞれは、インダクタである
請求項１〜１０のいずれか１項に記載の受動素子アレイ。
【請求項１２】
プリント配線板に実装される受動素子アレイであって、
複数の基材層を積層してなる素体と、
前記素体内にて、前記基材層の積層方向から見た場合にそれぞれ異なる位置に設けられた第１受動素子、第２受動素子および第３受動素子と、
前記素体の一方主面に設けられ、前記第１受動素子の一端に接続された第１入出力端子、前記第２受動素子の一端に接続された第３入出力端子、および、前記第３受動素子の一端に接続された第５入出力端子と、
前記素体の他方主面に設けられ、前記第１受動素子の他端に接続された第２入出力端子、前記第２受動素子の他端に接続された第４入出力端子、および、前記第３受動素子の他端に接続された第６入出力端子と、
前記一方主面において、前記第１入出力端子と前記第５入出力端子との間に設けられた一方主面側のグランド端子と、
前記他方主面において、前記第２入出力端子と前記第６入出力端子との間に設けられた他方主面側のグランド端子と、を備え、
前記第１受動素子、前記第２受動素子および前記第３受動素子は、前記積層方向から見た場合に、前記積層方向と垂直な方向に順に配列され、
前記一方主面側の端子はフレキシブル配線板またはフレキシブルケーブルに接続され、前記他方主面側の端子は前記プリント配線板に接続される、
受動素子アレイ。
【請求項１３】
複数の基材層を積層してなる素体と、
前記素体内にて、前記基材層の積層方向から見た場合にそれぞれ異なる位置に設けられた第１受動素子、第２受動素子および第３受動素子と、
前記素体の一方主面に設けられ、前記第１受動素子の一端に接続された第１入出力端子、前記第２受動素子の一端に接続された第３入出力端子、および、前記第３受動素子の一端に接続された第５入出力端子と、
前記素体の他方主面に設けられ、前記第１受動素子の他端に接続された第２入出力端子、前記第２受動素子の他端に接続された第４入出力端子、および、前記第３受動素子の他端に接続された第６入出力端子と、
前記一方主面において、前記第１入出力端子と前記第５入出力端子との間に設けられた一方主面側のグランド端子と、
前記他方主面において、前記第２入出力端子と前記第６入出力端子との間に設けられた他方主面側のグランド端子と、
を備える受動素子アレイであって、
前記第１受動素子、前記第２受動素子および前記第３受動素子は、前記積層方向から見た場合に、前記積層方向と垂直な方向に順に配列される前記受動素子アレイを内蔵したプリント配線板。
【請求項１４】
複数の基材層を積層してなる素体と、
前記素体内にて、前記基材層の積層方向から見た場合にそれぞれ異なる位置に設けられた第１受動素子、第２受動素子および第３受動素子と、
前記素体の一方主面に設けられ、前記第１受動素子の一端に接続された第１入出力端子、前記第２受動素子の一端に接続された第３入出力端子、および、前記第３受動素子の一端に接続された第５入出力端子と、
前記素体の他方主面に設けられ、前記第１受動素子の他端に接続された第２入出力端子、前記第２受動素子の他端に接続された第４入出力端子、および、前記第３受動素子の他端に接続された第６入出力端子と、
前記一方主面において、前記第１入出力端子と前記第５入出力端子との間に設けられた一方主面側のグランド端子と、
前記他方主面において、前記第２入出力端子と前記第６入出力端子との間に設けられた他方主面側のグランド端子と、を備え、
前記第１受動素子、前記第２受動素子および前記第３受動素子は、前記積層方向から見た場合に、前記積層方向と垂直な方向に順に配列される受動素子アレイであって、
前記一方主面側の端子がフレキシブル配線板またはフレキシブルケーブルに接続され、前記他方主面側の端子がプリント配線板に接続される、
前記受動素子アレイを実装したプリント配線板。
【手続補正２】
【補正対象書類名】明細書
【補正対象項目名】０００８
【補正方法】変更
【補正の内容】
【０００８】
上記目的を達成するために、本発明の一態様に係る受動素子アレイは、プリント配線板に内蔵される受動素子アレイであって、複数の基材層を積層してなる素体と、前記素体内にて、前記基材層の積層方向から見た場合にそれぞれ異なる位置に設けられた第１受動素子、第２受動素子および第３受動素子と、前記素体の一方主面に設けられ、前記第１受動素子の一端に接続された第１入出力端子、前記第２受動素子の一端に接続された第３入出力端子、および、前記第３受動素子の一端に接続された第５入出力端子と、前記素体の他方主面に設けられ、前記第１受動素子の他端に接続された第２入出力端子、前記第２受動素子の他端に接続された第４入出力端子、および、前記第３受動素子の他端に接続された第６入出力端子と、前記一方主面において、前記第１入出力端子と前記第５入出力端子との間に設けられた一方主面側のグランド端子と、前記他方主面において、前記第２入出力端子と前記第６入出力端子との間に設けられた他方主面側のグランド端子とを備え、前記第１受動素子、前記第２受動素子および前記第３受動素子は、前記積層方向から見た場合に、前記積層方向と垂直な方向に順に配列される。
【手続補正３】
【補正対象書類名】明細書
【補正対象項目名】０００９
【補正方法】変更
【補正の内容】
【０００９】
これによれば、第１入出力端子および第５入出力端子の間にグランド端子が設けられるので、素体の一方主面において、各受動素子間の入出力端子間のアイソレーションを確保することができる。また、第２入出力端子および第６入出力端子の間にグランド端子が設けられるので、素体の他方主面において、各受動素子間の入出力端子間のアイソレーションを確保することができる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
また、第１入出力端子と第５入出力端子との間にグランド端子が設けられるので、第１入出力端子と第５入出力端子とのアイソレーションを確保することができる。また、第２入出力端子と第６入出力端子との間にグランド端子が設けられるので、第２入出力端子と第６入出力端子とのアイソレーションを確保することができる。
【手続補正６】
【補正対象書類名】明細書
【補正対象項目名】００２９
【補正方法】変更
【補正の内容】
【００２９】
また、本発明の一態様に係る受動素子アレイは、プリント配線板に実装される受動素子アレイであって、複数の基材層を積層してなる素体と、前記素体内にて、前記基材層の積層方向から見た場合にそれぞれ異なる位置に設けられた第１受動素子、第２受動素子および第３受動素子と、前記素体の一方主面に設けられ、前記第１受動素子の一端に接続された第１入出力端子、前記第２受動素子の一端に接続された第３入出力端子、および、前記第３受動素子の一端に接続された第５入出力端子と、前記素体の他方主面に設けられ、前記第１受動素子の他端に接続された第２入出力端子、前記第２受動素子の他端に接続された第４入出力端子、および、前記第３受動素子の他端に接続された第６入出力端子と、前記一方主面において、前記第１入出力端子と前記第５入出力端子との間に設けられた一方主面側のグランド端子と、前記他方主面において、前記第２入出力端子と前記第６入出力端子との間に設けられた他方主面側のグランド端子と、を備え、前記第１受動素子、前記第２受動素子および前記第３受動素子は、前記積層方向から見た場合に、前記積層方向と垂直な方向に順に配列され、前記一方主面側の端子はフレキシブル配線板またはフレキシブルケーブルに接続され、前記他方主面側の端子は前記プリント配線板に接続される。
【手続補正７】
【補正対象書類名】明細書
【補正対象項目名】００３０
【補正方法】変更
【補正の内容】
【００３０】
これによれば、受動素子アレイの一方主面側にグランド端子が設けられるので、フレキシブル配線板またはフレキシブルケーブルのうちの一方主面側に接続される領域のアイソレーションを確保することができる。また、他方主面側にグランド端子が設けられるので、プリント配線板のうちの他方主面側に接続される領域のアイソレーションを確保することができる。
【手続補正８】
【補正対象書類名】明細書
【補正対象項目名】００３１
【補正方法】変更
【補正の内容】
【００３１】
また、本発明の一態様に係るプリント配線板は、複数の基材層を積層してなる素体と、前記素体内にて、前記基材層の積層方向から見た場合にそれぞれ異なる位置に設けられた第１受動素子、第２受動素子および第３受動素子と、前記素体の一方主面に設けられ、前記第１受動素子の一端に接続された第１入出力端子、前記第２受動素子の一端に接続された第３入出力端子、および、前記第３受動素子の一端に接続された第５入出力端子と、前記素体の他方主面に設けられ、前記第１受動素子の他端に接続された第２入出力端子、前記第２受動素子の他端に接続された第４入出力端子、および、前記第３受動素子の他端に接続された第６入出力端子と、前記一方主面において、前記第１入出力端子と前記第５入出力端子との間に設けられた一方主面側のグランド端子と、前記他方主面において、前記第２入出力端子と前記第６入出力端子との間に設けられた他方主面側のグランド端子と、を備える受動素子アレイであって、前記第１受動素子、前記第２受動素子および前記第３受動素子は、前記積層方向から見た場合に、前記積層方向と垂直な方向に順に配列される前記受動素子アレイを内蔵している。
【手続補正９】
【補正対象書類名】明細書
【補正対象項目名】００３３
【補正方法】変更
【補正の内容】
【００３３】
また、本発明の一態様に係るプリント配線板は、複数の基材層を積層してなる素体と、前記素体内にて、前記基材層の積層方向から見た場合にそれぞれ異なる位置に設けられた第１受動素子、第２受動素子および第３受動素子と、前記素体の一方主面に設けられ、前記第１受動素子の一端に接続された第１入出力端子、前記第２受動素子の一端に接続された第３入出力端子、および、前記第３受動素子の一端に接続された第５入出力端子と、前記素体の他方主面に設けられ、前記第１受動素子の他端に接続された第２入出力端子、前記第２受動素子の他端に接続された第４入出力端子、および、前記第３受動素子の他端に接続された第６入出力端子と、前記一方主面において、前記第１入出力端子と前記第５入出力端子との間に設けられた一方主面側のグランド端子と、前記他方主面において、前記第２入出力端子と前記第６入出力端子との間に設けられた他方主面側のグランド端子と、を備え、前記第１受動素子、前記第２受動素子および前記第３受動素子は、前記積層方向から見た場合に、前記積層方向と垂直な方向に順に配列される受動素子アレイであって、前記一方主面側の端子がフレキシブル配線板またはフレキシブルケーブルに接続され、前記他方主面側の端子がプリント配線板に接続される、前記受動素子アレイを実装している。
【手続補正１０】
【補正対象書類名】明細書
【補正対象項目名】００３４
【補正方法】変更
【補正の内容】
【００３４】
このプリント配線板によれば、受動素子アレイの一方主面側にグランド端子が設けられるので、フレキシブル配線板またはフレキシブルケーブルのうちの一方主面側に接続される領域のアイソレーションを確保することができる。また、他方主面側にグランド端子が設けられるので、プリント配線板のうちの他方主面側に接続される領域のアイソレーションを確保することができる。
【国際調査報告】
2017179590.tif 000025
2017179590.tif 000026
2017179590.tif 000027
2017179590.tif 000028